(57)【要約】【課題】産業用ロボットの内部に侵入した水分を正確に検知できる水分侵入検知システムを提供する。【解決手段】水分侵入検知システム１０は、その内部に閉鎖空間２２を形成する産業用ロボット１２と、前記閉鎖空間２２に圧縮エアを供給するエア供給機構２４と、前記産業用ロボット１２の外部空間と前記閉鎖空間２２とを連通するべく前記産業用ロボット１２に設けられた通路であって、前記圧縮エアの供給に伴い前記閉鎖空間２２から押し出されるエアを前記外部空間に導くエア抜き通路２６と、前記圧縮エアの供給に伴い、前記エア抜き通路から前記外部空間に押し出される押し出しエアの湿度を検出する湿度センサ３４と、前記湿度センサ３４で検出された前記押し出しエアの検出湿度に基づいて、前記閉鎖空間２２に侵入した水分の有無を判断する制御装置２８と、を備える。【選択図】図２
2020151833.tif 000002
【特許請求の範囲】
【請求項１】
その内部に閉鎖空間を形成する産業用ロボットと、
前記閉鎖空間に圧縮エアを供給するエア供給機構と、
前記産業用ロボットの外部空間と前記閉鎖空間とを連通するべく前記産業用ロボットに設けられた通路であって、前記圧縮エアの供給に伴い前記閉鎖空間から押し出されるエアを前記外部空間に導くエア抜き通路と、
前記圧縮エアの供給に伴い、前記エア抜き通路から前記外部空間に押し出される押し出しエアの湿度を検出する湿度センサと、
前記湿度センサで検出された前記押し出しエアの検出湿度に基づいて、前記閉鎖空間に侵入した水分の有無を判断する制御装置と、
を備えることを特徴とする水分侵入検知システム。
【請求項２】
請求項１に記載の水分侵入検知システムであって、
前記エア供給機構は、
前記圧縮エアの供給源と、
前記供給源に連通され、前記圧縮エアが流れるエアホースと、
前記産業用ロボットに設けられ、前記エアホースが着脱可能なコネクタであって、前記閉鎖空間に連通されたコネクタと、
を備えることを特徴とする水分侵入検知システム。
【請求項３】
請求項２に記載の水分侵入検知システムであって、
前記エア供給機構は、さらに、前記閉鎖空間内に配置され、一端が前記コネクタに接続される内部ホースであって、前記圧縮エアを前記閉鎖空間に放出する放出口を１以上有した内部ホースを備える、ことを特徴とする水分侵入検知システム。
【請求項４】
請求項１から３のいずれか一項に記載の水分侵入検知システムであって、
前記エア供給機構は、前記閉鎖空間内の複数箇所において、前記圧縮エアを放出する、ことを特徴とする水分侵入検知システム。
【請求項５】
請求項１から４のいずれか一項に記載の水分侵入検知システムであって、
前記産業用ロボットは、関節を介して連結された複数のアームを有し、先端にツールが着脱可能なメカニカルインターフェースが設けられた多関節ロボットであり、
前記エア供給機構は、前記関節の近傍および前記先端の近傍の少なくとも一方において前記圧縮エアを放出する、ことを特徴とする水分侵入検知システム。
【請求項６】
請求項５に記載の水分侵入検知システムであって、
前記エア供給機構は、前記先端近傍において前記圧縮エアを放出し、
前記エア抜き通路は、前記産業用ロボットの基端近傍に設けられている、
ことを特徴とする水分侵入検知システム。
【請求項７】
請求項１から６のいずれか１項に記載の水分侵入検知システムであって、
前記制御装置は、前記エア供給機構による前記圧縮エアの供給を、所定の基準時間以上継続させ、前記圧縮エアの供給開始から前記基準時間以上経過した判断タイミングに検出された検出湿度に基づいて、前記閉鎖空間に侵入した水分の有無を判断しており、
前記基準時間は、供給された前記圧縮エアが、前記閉鎖空間を通って前記エア抜き通路から出力される時間である、
ことを特徴とする水分侵入検知システム。
【請求項８】
産業用ロボットの内部に設けられた閉鎖空間に圧縮エアを供給し、
前記圧縮エアの供給に伴い、前記産業用ロボットに設けられたエア抜き通路から押し出される押し出しエアの湿度を湿度センサで検知し、
制御装置が、湿度センサで検知された湿度に基づいて、前記閉鎖空間内に侵入した水分の有無を判断する、
ことを特徴とする水分侵入検知方法。
【発明の詳細な説明】
【技術分野】
【０００１】
本明細書では、産業用ロボットの内部に設けられた閉鎖空間に侵入した水分の有無を検知する水分侵入検知システムおよび水分侵入検知方法を開示する。
【背景技術】
【０００２】
近年、様々な分野において産業用ロボットが多用されている。かかる産業用ロボットは、水がかかりやすい環境や、湿度が高い環境でも使用されることがある。一般に、産業用ロボットは、かかる環境下でも水分が産業用ロボット内部に侵入しないようにシールされている。しかしながら、僅かな隙間から水分が産業用ロボット内に侵入することがある。産業用ロボット内部に水分が侵入した状態で放置すると、漏電や産業用ロボット内部に設けられた歯車の潤滑不良等、様々な問題が生じる。そこで、こうした問題を避けるためには、産業用ロボット内部に水分が侵入したことを正確に検知できるシステムが求められる。
【０００３】
特許文献１，２には、機器の内部に侵入した水分を検知する技術が開示されている。特許文献１には、電極対を有する浸水センサをモータケース内に設置したモータが開示されている。浸水センサは、電極対の間の電気抵抗に基づいて水分の有無を判断している。
【０００４】
特許文献２には、水中電動ポンプに、侵入した水が溜まりやすい浸水溜まり室を設け、この浸水溜まり室に浸水検知センサを設置した技術が開示されている。
【０００５】
さらに、特許文献３には、エアに含まれる水分を検出する技術が開示されている。具体的には、特許文献３には、スピンドルシャフトと、スピンドルシャフトを回転可能に支持するエアベアリングと、エアベアリングに高圧エアを供給するエア供給路と、エア供給源からエアベアリングに供給される高圧エア中の水分を検出する水分検出部と、を備えた切削装置が開示されている。水分検出装置は、水分を吸着することで変色する水分吸着部と、水分吸着部の変色を検出する変色検出センサと、を有している。
【先行技術文献】
【特許文献】
【０００６】
【特許文献１】特許第５９３９１９９号公報
【特許文献２】特許第４２８３５４９号公報
【特許文献３】特開２０１３−１８８８０６号公報
【発明の概要】
【発明が解決しようとする課題】
【０００７】
しかしながら、特許文献１の技術では、電極対の間に水が存在しなくてはならず、センサの近傍の水分しか検知できない。特許文献２のように水が溜まりやすい浸水溜まり室を設けることで、この問題は多少軽減できる。しかし、姿勢が複雑に変化する産業用ロボットの内部に、特許文献２の浸水溜まり室のような空間を設けることは困難だった。また、特許文献３では、電極対を用いない水分検出技術が開示されている。しかし、特許文献３の技術は、あくまで、エア供給源から出力された高圧エア内の水分を検出するものであり、機器（スピンドルシャフト、エアベアリング）内部の水分の有無を検出する技術ではない。
【０００８】
つまり、従来、産業用ロボットの内部に侵入した水分の有無を正確に検知できる技術はなかった。そこで、本明細書では、産業用ロボットの内部に侵入した水分を正確に検知できる水分侵入検知システムおよび水分侵入検知方法を開示する。
【課題を解決するための手段】
【０００９】
本明細書で開示する水分侵入検知システムは、その内部に閉鎖空間を形成する産業用ロボットと、前記閉鎖空間に圧縮エアを供給するエア供給機構と、前記産業用ロボットの外部空間と前記閉鎖空間とを連通するべく前記産業用ロボットに設けられた通路であって、前記圧縮エアの供給に伴い前記閉鎖空間から押し出されるエアを前記外部空間に導くエア抜き通路と、前記圧縮エアの供給に伴い、前記エア抜き通路から前記外部空間に押し出される押し出しエアの湿度を検出する湿度センサと、前記湿度センサで検出された前記押し出しエアの検出湿度に基づいて、前記閉鎖空間に侵入した水分の有無を判断する制御装置と、を備えることを特徴とする。
【００１０】
この場合、前記エア供給機構は、前記圧縮エアの供給源と、前記供給源に連通され、前記圧縮エアが流れるエアホースと、前記産業用ロボットに設けられ、前記エアホースが着脱可能なコネクタであって、前記閉鎖空間に連通されたコネクタと、を備えてもよい。
【００１１】
また、前記エア供給機構は、さらに、前記閉鎖空間内に配置され、一端が前記コネクタに接続される内部ホースであって、前記圧縮エアを前記閉鎖空間に放出する放出口を１以上有した内部ホースを備えてもよい。
【００１２】
また、前記エア供給機構は、前記閉鎖空間内の複数箇所において、前記圧縮エアを放出してもよい。
【００１３】
また、前記産業用ロボットは、関節を介して連結された複数のアームを有し、先端にツールが着脱可能なメカニカルインターフェースが設けられた多関節ロボットであり、前記エア供給機構は、前記関節の近傍および前記先端の近傍の少なくとも一方において前記圧縮エアを放出してもよい。
【００１４】
この場合、前記エア供給機構は、前記先端近傍において前記圧縮エアを放出し、前記エア抜き通路は、前記産業用ロボットの基端近傍に設けられていてもよい。
【００１５】
また、前記制御装置は、前記エア供給機構による前記圧縮エアの供給を、所定の基準時間以上継続させ、前記圧縮エアの供給開始から前記基準時間以上経過した判断タイミングに検出された検出湿度に基づいて、前記閉鎖空間に侵入した水分の有無を判断しており、前記基準時間は、供給された前記圧縮エアが、前記閉鎖空間を通って前記エア抜き通路から出力される時間でもよい。
【００１６】
本明細書で開示される水分侵入検知方法は、産業用ロボットの内部に設けられた閉鎖空間に圧縮エアを供給し、前記圧縮エアの供給に伴い、前記産業用ロボットに設けられたエア抜き通路から押し出される押し出しエアの湿度を湿度センサで検知し、制御装置が、湿度センサで検知された湿度に基づいて、前記閉鎖空間内に侵入した水分の有無を判断する、ことを特徴とする。
【発明の効果】
【００１７】
本明細書で開示する水分侵入検知システムおよび水分侵入検知方法によれば、閉鎖空間内における空気の経路途中における水分の有無が、押し出しエアの湿度に反映される。そのため、空気経路という非常に広い範囲について水分の有無を検知できる。結果として、産業用ロボットという複雑な構造物であっても、その内部に侵入した水分を正確に検知できる。
【図面の簡単な説明】
【００１８】
【図１】水分侵入検知システムが組み込まれた工作機械の斜視図である。
【図２】水分侵入検知システムの構成を示す図である。
【図３】水分侵入がない場合の検出湿度の経時変化の一例を示す図である。
【図４】水分侵入がある場合の検出湿度の経時変化の一例を示す図である。
【図５】他の水分侵入検知システムの一例を示す図である。
【図６】他の水分侵入検知システムの一例を示す図である。
【発明を実施するための形態】
【００１９】
以下、図面を参照して水分侵入検知システム１０の構成について説明する。図１は、水分侵入検知システム１０が組み込まれた工作機械１００の斜視図である。また、図２は、水分侵入検知システム１０の構成を示す図である。
【００２０】
水分侵入検知システム１０は、産業用ロボット１２の内部に侵入した水分の有無を検知するものである。この水分侵入検知システム１０は、図２に示す通り、その内部に閉鎖空間２２を有する産業用ロボット１２を備えている。
【００２１】
産業用ロボット１２は、産業自動化の用途に用いられるロボットである。こうした産業用ロボット１２は、一般には、自動制御され、再プログラム可能で、多目的なマニピュレータであり、三軸以上でプログラム可能で、１ヶ所に固定して、または、移動機能を持つロボットである。また、ロボットとは、プログラムによって動作し、ある程度の自律性を持ち、環境内で動作して所定の作業を実行する運動機構である。
【００２２】
本明細書では、図２に示す通り、産業用ロボット１２は、関節１６を介して連結された複数のアーム１４を有した多関節ロボットとしている。ただし、産業用ロボット１２は、その内部に閉鎖空間２２を有したものであれば、特に限定されない。そのため、産業用ロボット１２は、例えば、直角座標ロボットやパラレルリンクロボット、振り子ロボット等でもよい。
【００２３】
本例の産業用ロボット１２は、図１に示す通り、工作機械１００の加工室１０２内に設置されている。工作機械１００は、切削工具１１０を用いて金属材料を切削加工する切削加工機（金属加工機）である。より具体的には、この工作機械１００は、主軸装置１０４で回転保持されたワークを、刃物台１０６で保持された切削工具１１０で旋削する旋盤装置である。産業用ロボット１２は、こうした工作機械１００の加工室１０２内に設置され、ワークや工具等の搬送処理、切削加工の補助処理（加工中のワークの保持等）、各種物理量のセンシング処理、各部の清掃処理等を行う。
【００２４】
なお、ここで説明した産業用ロボット１２の設置位置や処理内容は、一例であり、適宜変更されてもよい。したがって、産業用ロボット１２は、例えば、旋盤装置に限らず、プレス加工機や研磨装置、放電加工機、レーサー加工機等の他の工作機械に組み込まれてもよい。また、産業用ロボット１２は、工作機械に限らず、他の機械装置、例えば溶接装置や塗装装置等に組み込まれてもよい。また、産業用ロボット１２は、他の機械装置に組み込まれることなく、単独で用いられてもよい。したがって、産業用ロボット１２は、部品を組み立てる組み立てロボットや、対象物の寸法等を検査する検査ロボット、各種物品を搬送する搬送ロボット等でもよい。
【００２５】
産業用ロボット１２は、既述した通り、また、図２に示す通り、関節１６を介して連結された複数（図示例では四つ）のアーム１４を有した多関節ロボットである。各アーム１４は、中空の筒状部材である。このアーム１４の開口部には、パッキンやシールを施した蓋１５が取り付けてあり、アーム１４の内部空間の密閉性が担保されている。アーム１４の端部には、関節１６を介して、他のアーム１４が連結されている。各関節１６とアーム１４との繋ぎ目には、シール部材１８が設けられており、閉鎖空間２２の密閉性が担保されている。また、関節１６には、二つのアーム１４を連通するための貫通孔１６ａが設けられており、複数のアーム１４の内部空間が、互いに連通し合うようになっている。換言すれば、複数のアーム１４それぞれの内部空間は、互いに繋がって、産業用ロボット１２の基端付近から先端付近まで延びる一つの閉鎖空間２２を構成する。
【００２６】
各関節１６には、アーム１４の動きを可能にするジョイント（図示せず）が設けられている。かかるジョイントとしては、例えば、二つのアーム１４の相対直進運動を可能にする直進ジョイントや、二つのアーム１４の相対回転運動を可能にする回転ジョイント、二つのアーム１４の固定点の周りの三自由度相対回転運動を可能にする球ジョイント等を用いることができる。また、各ジョイントの近傍には、アーム１４を動かす動力源や、動力源の運動をアーム１４に伝達する伝動部品、アーム１４の運動量を計測するセンサ（いずれも図示せず）が設けられている。動力源としては、電力で駆動するモータや電磁シリンダでもよいし、油圧や空圧で駆動する油圧・空圧シリンダなどでもよい。また、伝動部品としては、歯車やラック等を用いてもよい。センサとしては、エンコーダや、レゾルバ等を用いてもよい。
【００２７】
産業用ロボット１２の先端部分には、エンドエフェクタ１２０（図１参照、図２で図示せず）が着脱可能なメカニカルインターフェース２０が設けられている。エンドエフェクタ１２０は、産業用ロボット１２が作業を行えるように、メカニカルインターフェース２０に取り付けて用いる機器である。かかるエンドエフェクタ１２０としては、例えば、物品を保持する保持装置（ハンド機構や吸着機構等）や、各種物理量を計測するセンサ、各種加工処理を行う加工装置（スプレーガンや溶接ガン、ねじ回し装置等）、流体を吐出する吐出ノズル等でもよい。こうしたエンドエフェクタへの給電や制御信号の授受のための電気ケーブルは、産業用ロボット１２の外部に通されてもよいし、閉鎖空間２２内に通されてもよい。また、閉鎖空間２２の内部には、動力源やセンサなどの電子部品が内蔵されている。閉鎖空間２２の内部には、この電子部品への給電および制御信号の授受のための電気ケーブル（図示せず）が通されている。
【００２８】
ここで、これまでの説明で明らかな通り、産業用ロボット１２の内部の閉鎖空間２２には、モータやセンサなどの電子部品や、給電および信号授受のための電気ケーブル等が存在している。また、閉鎖空間２２には、動力を伝達するための歯車やラックも設けられている。かかる閉鎖空間２２に水分が侵入すると、電子部品の故障や漏電、歯車等の潤滑不良等、様々な問題が生じる。そこで、通常、水分の多い環境下で使用する産業用ロボット１２の場合、繋ぎ目などにシール部材１８を設けることで、その内部の空間を液密に閉鎖している。
【００２９】
しかし、こうしたシール部材１８は、経年や薬品の影響を受けて徐々に劣化し、シール性が低下する場合がある。また、産業用ロボット１２の使用環境によっては、水が高圧力で噴射されることがあり、水分がシール部を超えて閉鎖空間２２に侵入することがある。例えば、工作機械１００では、ワークや切削工具１１０を冷却するとともに、切粉を吹き飛ばす目的で、切削加工の際に切削水が噴射されることがある。かかる切削水は、比較的高圧力で噴射されるため、当該噴射位置の近傍に産業用ロボット１２を位置させていると、切削水がシール部を超えて閉鎖空間２２に侵入する場合があった。こうした水分の侵入を長期間放置していると、上述したように、電子部品の故障、伝動部品の潤滑不良、漏電等の問題を招く。
【００３０】
水分侵入検知システム１０は、こうした水分の侵入の有無を検知するもので、産業用ロボット１２に加え、さらに、エア供給機構２４と、エア抜き通路２６と、湿度センサ３４と、温度センサ３６、制御装置２８と、を備えている。エア供給機構２４は、閉鎖空間２２に圧縮エアを供給する。このエア供給機構２４について具体的に説明すると、エア供給機構２４は、圧縮エアの供給源となるエア供給源３８を有している。エア供給源３８は、圧縮エアを出力するものである。このエア供給源３８から出力される圧縮エアの湿度は、既知である。また、圧縮エアは、大気よりも湿度が低い、ドライエアでもよい。ドライエアの湿度は、温度１０〜３５℃で大気圧のときに、１５％以下であることが好ましく、１１％以下であることがさらに好ましく、８％以下であることが特に好ましい。したがって、エア供給源３８は、例えば、コンプレッサおよびエアドライヤを有している。エアドライヤは、出力されるエアの湿度を一定に保てるのであれば、その構成は、特に限定されない。したがって、エアドライヤとしては、例えば、メンブレンエアドライヤや冷凍式エアドライヤ、膜式エアドライヤ等を用いることができる。
【００３１】
エア供給源３８には、圧縮エアが流れるエアホース４０が接続されている。産業用ロボット１２には、このエアホース４０の他端が接続されるコネクタ４２が設けられている。コネクタ４２は、エアホース４０が着脱可能であり、閉鎖空間２２に連通されている。このコネクタ４２の形状および配置は、特に限定されないが、通常、コネクタ４２は、アーム１４の筐体（産業用ロボット１２の筐体）を貫通する孔を含んでいる。図２の例では、コネクタ４２は、最も基端側のアーム１４に形成されている。これは、基端側が先端側に比べて、水分（切削水）がかかりにくく、かかる基端側にコネクタ４２を設けることで、当該コネクタ４２を経由しての水分侵入が生じにくいためである。また、コネクタ４２は、エアホース４０が取り外された際に、当該コネクタ４２を経由しての水分や粉塵の侵入を防止するためにコネクタ４２の開口を塞ぐ蓋（図示せず）を有していてもよい。また、別の形態として、コネクタ４２は、エアホース４０の端部が接続された場合だけ開くような自動開閉バルブを有した流体カプラであってもよい。
【００３２】
閉鎖空間２２内には、このコネクタ４２に接続された内部ホース４４が引き回されている。エア供給源３８から供給された圧縮エアは、エアホース４０、コネクタ４２を介して、この内部ホース４４に流れる。内部ホース４４は、この圧縮エアを閉鎖空間２２内に放出する放出口４６を有している。この放出口４６の位置は、特に限定されないが、図２の例では、先端近傍に放出口４６を設けている。
【００３３】
エアホース４０および内部ホース４４は、いずれも、圧縮エアを導くことができるのならば、その材質やサイズは、特に限定されない。ただし、内部ホース４４は、閉鎖空間２２内で、電子部品等の他部材に近接することが予想されるため、充分な耐熱性や絶縁性を有していてもよい。また、産業用ロボット１２の姿勢変更に伴い、閉鎖空間２２内に引き回された内部ホース４４が、弛緩または緊張することが予想される。そのため、閉鎖空間２２内に、バネ等の付勢部材を利用して内部ホース４４のテンションを一定に保つテンションリール（図示せず）を設けてもよい。
【００３４】
産業用ロボット１２には、さらに、エア抜き通路２６が設けられている。エア抜き通路２６は、産業用ロボット１２の外部空間と閉鎖空間２２とを連通するべく、産業用ロボット１２の筐体に設けられた貫通孔である。このエア抜き通路２６は、閉鎖空間２２内への圧縮エアの放出に伴い、閉鎖空間２２から押し出される押し出しエアを外部空間に導く。エア抜き通路２６の形態や配置も、特に限定されない。図２の例では、エア抜き通路２６は、最も基端側のアーム１４、別の言い方をすれば、閉鎖空間２２のうち放出口４６から離れる側の端部付近に形成されている。水分がかかりにくい基端側にエア抜き通路２６を設けることで、当該エア抜き通路２６を経由しての水分の侵入を抑制できる。なお、エア抜き通路２６を介しての水分や粉塵の侵入を防止するために、当該エア抜き通路２６を開閉する蓋や絞りを設けてもよい。また、放出口４６の反対側端部にエア抜き通路２６を設けることで、後述するように、圧縮エアの供給に伴い生じる気流が、閉鎖空間２２全体に流れる。そして、これにより、侵入した水分の有無を、閉鎖空間２２全体に渡って診断することができるが、これについては後述する。
【００３５】
産業用ロボット１２の外部であって、エア抜き通路２６の近傍には、当該エア抜き通路２６から出力される押し出しエアの湿度および温度を計測する湿度センサ３４および温度センサ３６が設けられている。湿度センサ３４としては、例えば、二つの電極間の電気抵抗に基づいて湿度を出力する抵抗式湿度センサでもよいし、二つの電極間の静電容量に基づいて湿度を出力する静電容量式湿度センサでもよい。また、温度センサ３６も、特に限定されず、サーミスタや熱電対、赤外線センサ、デジタルセンサ等でもよい。いずれにしても、湿度センサ３４および温度センサ３６での検知結果は、随時、制御装置２８に送られる。
【００３６】
制御装置２８は、エア供給機構２４の駆動を制御するとともに、湿度センサ３４で検出された湿度等に基づいて、閉鎖空間２２に侵入した水分の有無を判断する。この制御装置２８は、例えば、ＣＰＵ等のプロセッサ３０と、各種データおよびプログラムを記憶するメモリ３２と、を有したコンピューターである。この制御装置２８は、水分侵入検知システム１０のために専用に設けられたコンピューターでもよいし、他の用途にも用いられるコンピューターでもよい。例えば、制御装置２８は、産業用ロボット１２の駆動制御するためのコンピューターでもよいし、工作機械１００に搭載された数値制御装置でもよい。
【００３７】
制御装置２８は、必要に応じて、エア供給源３８を駆動して、閉鎖空間２２に圧縮エアを供給させるとともに、その際、湿度センサ３４および温度センサ３６で検出された検出湿度および検出温度を取得する。そして、この検出湿度および検出温度に基づいて、水分の侵入の有無を判断する。
【００３８】
次に、この水分侵入検知システム１０を用いた水分侵入検知の原理について説明する。既述した通り、水分の侵入の有無を判断する際には、エア供給機構２４を用いて、閉鎖空間２２に圧縮エアを供給する。閉鎖空間２２は、コネクタ４２およびエア抜き通路２６を除いて、液密に閉鎖されている。そのため、放出口４６から圧縮エアが放出されると、当該放出口４６からエア抜き通路２６に向かうエアの流れ、すなわち気流が発生する。この気流の経路途中に、水分が存在する場合、その水分の一部がエアに溶け込み、エア抜き通路２６から出力される押し出しエアの湿度が増加する。特に、閉鎖空間２２内に放出している圧縮エアを、湿度が低いドライエアとした場合、水分が溶け込みやすくなる。そのため、圧縮エアとしてドライエアを用いた場合、気流の経路途中にある水分の有無により、押し出しエアの湿度が顕著に変化する。したがって、押し出しエアの湿度を監視することで、水分の侵入の有無を判断することができる。
【００３９】
具体的に、水分侵入検知処理の流れについて説明する。水分の侵入の有無を検知する場合には、まず、コネクタ４２にエアホース４０を取り付け、エア供給源３８と放出口４６とを連通させる。また、エア抜き通路２６に蓋などが設けられている場合には、これを取り外し、エア抜き通路２６を開放しておく。
【００４０】
この状態になれば、制御装置２８は、エア供給源３８を駆動し、圧縮エアを閉鎖空間２２に供給させる。なお、圧縮エアの湿度（以下「基準湿度Ｈｄ」と呼ぶ）は、エア供給源３８において、ほぼ一定に保たれている。制御装置２８は、この基準湿度Ｈｄを予め記憶している。この圧縮エアの供給は、例えば、放出口４６から放出された圧縮エアが、エア抜き通路２６から出力される基準時間以上、継続される。したがって、例えば、放出口４６から放出される圧縮エアの容量が、閉鎖空間２２の容量に達するまで、圧縮エアの供給が継続される。
【００４１】
圧縮エアの供給が開始されると、エア抜き通路２６からは、閉鎖空間２２から押し出された押し出しエアが出力される。湿度センサ３４および温度センサ３６は、この押し出しエアの湿度および温度を計測する。そして、計測された湿度および温度は、それぞれ、検出湿度Ｈｍ、検出温度Ｔｍとして、制御装置２８に送られる。制御装置２８は、この検出湿度Ｈｍ、検出温度Ｔｍを検出時間と対応付けてメモリに記憶する。
【００４２】
制御装置２８は、少なくとも検出湿度Ｈｍに基づいて、水分の侵入の有無を判断する。すなわち、制御装置２８は、検出湿度Ｈｍが高い場合には、閉鎖空間２２内に水分が侵入していると判断する。この判断の具体的な手順は、特に限定されないが、その一例について、図３、図４を参照して説明する。図３、図４は、検出湿度Ｈｍの経時変化の一例を示す図であり、図３は、水分の侵入がない場合を、図４は、水分の侵入がある場合を、それぞれ示している。図３、図４において、横軸は、時間ｔを、縦軸は、湿度Ｈを示している。また、破線は、圧縮エアの湿度である基準湿度Ｈｄを示している。また、この例において、圧縮エアは、大気よりも湿度の低いドライエアである。
【００４３】
図３に示す通り、圧縮エアの供給を開始した直後、検出湿度Ｈｍは、圧縮エアの湿度である基準湿度Ｈｄよりも充分に高い値をとる。これは、圧縮エアの供給を開始した直後は、エア抜き通路２６近傍にもともとあった空気が押し出されるためである。閉鎖空間２２にもともと存在する空気は、水分の侵入の有無に関わらず、大気とほぼ同じ湿度を有しており、基準湿度Ｈｄよりも充分に高い。
【００４４】
閉鎖空間２２内に水分が侵入していない場合、その後、圧縮エアの供給を継続することで、検出湿度Ｈｍが急激に低下し、最終的に、基準湿度Ｈｄに近い値となる。これは、充分な量の圧縮エアを供給した場合、放出口４６から放出された圧縮エアが、閉鎖空間２２内を通って、エア抜き通路２６から出力されるためである。閉鎖空間２２内に水分がない場合、放出口４６から放出された圧縮エアは、湿度が殆ど上昇しない状態で、エア抜き通路２６に到達する。その結果、検出湿度Ｈｍも基準湿度Ｈｄに近い値となる。
【００４５】
一方、閉鎖空間２２内に水分が侵入している場合、図４に示すように、検出湿度Ｈｍが、途中で急上昇する。これは、放出口４６から放出された圧縮エアが、水分近傍を通過する際に、当該圧縮エアにこの水分が溶け込み、湿度が上昇するためである。そして、この水分が溶け込んだエアが、エア抜き通路２６から出力されることで、検出湿度Ｈｍが急上昇する。
【００４６】
つまり、閉鎖空間２２内に水分が侵入している場合、圧縮エアの供給を開始してから一定時間経過後の検出湿度Ｈｍが高くなる。したがって、制御装置２８は、この一定時間経過後の検出湿度Ｈｍを予め規定した閾値と比較し、検出湿度Ｈｍが閾値以上の場合に、水分が侵入していると判断してもよい。
【００４７】
なお、閾値は、当然ながら、基準湿度Ｈｄよりも高い値である。この閾値は、常に一定の固定値でもよいし、環境温度等に応じて変化する変動値でもよい。また、閾値と比較する検出湿度Ｈｍは、上述した通り、圧縮エアの供給を開始してから充分な時間が経過したタイミングでの検出湿度Ｈｍである。以下では、水分侵入の有無判断に用いる検出湿度Ｈｍの検出タイミングのことを、「判断タイミング」と呼ぶ。この判断タイミングは、圧縮エアの供給を開始してから充分な時間、具体的には、エアが放出口４６からエア抜き通路２６に到達するまでの時間以上の時間が経過したタイミングである。かかる判断タイミングは、放出口４６からエア抜き通路２６までの距離や、圧縮エアの流量、閉鎖空間２２の容量等に基づいて予め規定しておくことができる。また、判断タイミングは、１回に限らず、複数回あってもよい。判断タイミングが複数あり、検出湿度Ｈｍが複数得られる場合には、この複数の検出湿度Ｈｍを代表する統計値（平均値や中間値等）を閾値と比較してもよい。
【００４８】
また、検出湿度Ｈｍの絶対値ではなく、検出湿度Ｈｍの初期値や基準湿度Ｈｄ、大気湿度との比較結果に基づいて、水分侵入の有無を判断してもよい。すなわち、最終的に得られる検出湿度Ｈｍは、水分の有無に限らず、大気の湿度や温度によっても上下する。例えば、大気湿度が非常に高い環境下では、閉鎖空間２２内に水分が侵入していなくても、検出湿度Ｈｍが高くなることがある。そこで、かかる場合には、判断タイミングで得られた検出湿度Ｈｍの絶対値ではなく、判断タイミングで得られた検出湿度Ｈｍと、大気湿度または初期タイミングに得られた検出湿度Ｈｍと、の差分値に基づいて、水分侵入の有無を判断してもよい。また、差分値ではなく、比率（例えば、検出湿度Ｈｍ／大気湿度の値等）に基づいて、水分侵入の有無を判断してもよい。
【００４９】
さらに、判断タイミングにおける検出湿度Ｈｍだけでなく、検出温度Ｔｍも考慮して、水分侵入の有無を判断してもよい。例えば、温度と湿度が分かれば、空気中の水分量が求まる。そこで、判断タイミングにおける検出湿度Ｈｍおよび検出温度Ｔｍから、押し出しエアに含まれる水分量を算出し、この水分量を予め規定された閾値と比較し、水分侵入の有無を判断してもよい。
【００５０】
いずれにしても、制御装置２８は、閉鎖空間２２内に水分が存在する場合、存在しない場合に比べて、押し出しエアの湿度が高くなることを利用して、水分侵入の有無を判断すればよい。そして、水分侵入の有無が判断できれば、オペレーターは、エアホース４０を、コネクタ４２から取り外せばよい。なお、判断の結果、水分が侵入していると判断された場合には、産業用ロボット１２の内部部品の故障や寿命低下が考えられるため、アラームを出力し、早期の修理を促す。
【００５１】
以上の説明から明らかな通り、本例では、閉鎖空間２２内に圧縮エアを供給し、供給に伴い押し出されたエアの湿度に基づいて、閉鎖空間２２内への水分の侵入の有無を判断している。かかる構成とした場合、放出口４６からエア抜き通路２６に至るまでの広い範囲について、水分の有無を判断できる。すなわち、放出口４６からエア抜き通路２６に向かう空気の経路途中に水分があれば、押し出しエアの湿度に反映される。その結果、電極対を有した湿度センサを機器の内部に設置した特許文献１，２と異なり、より広い範囲について、水分の有無を判断できる。特に、図２に示す例では、放出口４６を閉鎖空間２２の一端近傍に、エア抜き通路２６を閉鎖空間２２の一端近傍に設けている。そのため、放出口４６から放出されたエアは、閉鎖空間２２のほぼ全体を通るため、閉鎖空間２２のほぼ全体について、水分の有無を判断できる。
【００５２】
また、本例では、産業用ロボット１２の外部に湿度センサ３４等を設けており、閉鎖空間２２内には、湿度センサ３４を設けていない。かかる構成とすることで、湿度センサ３４を設置するためのスペースを設ける必要がなく、産業用ロボット１２の更なる小型化が可能となる。また、本例では、閉鎖空間２２内に内部ホース４４を通すことで、コネクタから遠く離れた位置において、圧縮エアを放出することができる。換言すれば、かかる構成とすることで、コネクタ４２の設置位置の自由度を高めることができる。
【００５３】
なお、ここまで説明した構成は、一例であり、少なくとも、閉鎖空間２２に圧縮エアを供給したうえで、湿度センサ３４で検出された押し出しエアの湿度に基づいて水分の有無を判断するのであれば、その他の構成は、適宜変更されてもよい。例えば、これまでの説明では、放出口４６を一つのみとしているが、放出口４６は、複数設けられてもよい。例えば、図５に示すように、閉鎖空間２２の先端近傍に加えて、複数の関節１６それぞれの近傍にも、放出口４６を設けてもよい。こうした放出口４６は、エア抜き通路２６から離れた位置、あるいは、水分が留まりやすい位置に設けられてもよい。水分が留まりやすい位置としては、例えば、関節１６周辺が該当する。
【００５４】
複数の放出口４６は、同じ内部ホース４４に設けられていてもよいし、異なる内部ホース４４に設けられてもよい。また、複数の放出口４６を設ける場合には、必要に応じて、開放する放出口４６切り替えられるように、閉鎖空間２２内にバルブ５０（例えば電磁弁等）を設けてもよい。
【００５５】
また、湿度センサ３４や温度センサ３６も一つに限らず、複数設けられてもよい。例えば、図５に示すように、エア抜き通路２６の近傍に加えて、放出口４６の近傍（すなわち閉鎖空間２２内）にも湿度センサ３４を設けてもよい。この場合、放出口４６近傍の湿度センサ３４での検出湿度と、エア抜き通路２６近傍の湿度センサ３４での検出湿度と、の比較に基づいて、水分侵入の有無を判断してもよい。
【００５６】
また、これまでの説明では、閉鎖空間２２内に内部ホース４４を設けているが、内部ホース４４は、なくてもよい。例えば、図６に示すように、コネクタ４２の内側端部が、閉鎖空間２２内に開口されており、この内側端部から直接閉鎖空間２２に圧縮エアが放出されるようにしてもよい。つまり、この場合は、コネクタ４２の内側端部が、放出口４６となる。かかる構成とすることで、閉鎖空間２２の内部にホースを引き回す必要がない。その結果、ホースの絡まりや破損を考慮する必要がないため構成を簡易化でき、また、産業用ロボット１２をより小型化できる。
【符号の説明】
【００５７】
１０  水分侵入検知システム、１２  産業用ロボット、１４  アーム、１６  関節、１８  シール部材、２０  メカニカルインターフェース、２２  閉鎖空間、２４  エア供給機構、２６  エア抜き通路、２８  制御装置、３０  プロセッサ、３２  メモリ、３４  湿度センサ、３６  温度センサ、３８  エア供給源、４０  エアホース、４２  コネクタ、４４  内部ホース、４６  放出口、５０  バルブ、１００  工作機械、１０２  加工室、１０４  主軸装置、１０６  刃物台、１１０  切削工具、１２０  エンドエフェクタ。
【図１】
2020151833.tif 000003
【図２】
2020151833.tif 000004
【図３】
2020151833.tif 000005
【図４】
2020151833.tif 000006
【図５】
2020151833.tif 000007
【図６】
2020151833.tif 000008